(57)【要約】【課題】可動部に注油するための潤滑油を貯留する貯留タンクを刈取部に備えたコンバインにおいて、貯留タンクの容量の確保と、刈取部のコンパクト化と、を両立させることが可能な構成を提供する。【解決手段】コンバイン１は、刈取部１０と、注油タンク２７と、下サイドカバー２４と、を備える。刈取部１０は、穀稈を刈り取る。注油タンク２７は、刈取部１０の可動部に注油する潤滑油を貯留する。下サイドカバー２４は、刈取部１０の側部を覆う。刈取部１０の側面の一部を膨出させるように、下サイドカバー２４に膨出部が形成されている。注油タンク２７の少なくとも一部が前記膨出部の内部に配置されている。【選択図】図２
2016059299.tif 000002
【特許請求の範囲】
【請求項１】
穀稈を刈り取る刈取部と、
前記刈取部の可動部に注油する潤滑油を貯留する注油タンクと、
前記刈取部の側部を覆うサイドカバーと、
を備えるコンバインであって、
刈取部の側面の一部を膨出させるように前記サイドカバーに膨出部が形成されており、
前記注油タンクの少なくとも一部が前記膨出部の内部に配置されていることを特徴とするコンバイン。
【請求項２】
請求項１に記載のコンバインであって、
前記注油タンクは、その一部のみが前記膨出部の内部に配置されていることを特徴とするコンバイン。
【請求項３】
請求項２に記載のコンバインであって、
前記刈取部は、穀稈の株元を掻き込む掻込ベルトを備え、
前記注油タンクの底面の少なくとも一部が傾斜状に形成されており、
前記注油タンクの底面の傾斜状部分の下方を、前記掻込ベルトが通過することを特徴とするコンバイン。
【請求項４】
請求項１から３までの何れか一項に記載のコンバインであって、
前記サイドカバーは平面部を有し、
前記膨出部は前記平面部から膨出するように形成されており、
前記注油タンクの補給口は、前記平面部より外側に配置されることを特徴とするコンバイン。
【請求項５】
請求項４に記載のコンバインであって、
前記補給口は前記サイドカバーの膨出部の内部に配置されており、
前記サイドカバーの膨出部を、取り外すことで、又は開くことで、前記補給口を露出させることが可能であることを特徴とするコンバイン。
【発明の詳細な説明】
【技術分野】
【０００１】
本発明は、刈取部の各部を潤滑する注油装置を備えたコンバインに関する。
【背景技術】
【０００２】
従来から、穀稈を刈り取って脱穀する収穫機としてのコンバインが知られている。コンバインに備えられた刈取部には、穀稈を刈り取るための刈取刃や、穀稈を脱穀装置へ搬送するための搬送装置など、多くの可動部が備えられている。
【０００３】
コンバインの刈取部を動作させ、穀稈の刈取作業を行うと、可動部において摩擦による発熱、騒音、及び摩耗等が発生する。これを防止するために、コンバインにおいて、刈取部の可動部へ注油して潤滑するための注油装置を備える構成が従来から提案されている。
【０００４】
この注油装置は、潤滑油を貯留するための注油タンク（貯留タンク）を備える。また、注油タンクの潤滑油を可動部へ送るために、当該注油タンクから潤滑油を汲み出す電動ポンプと、汲み出された潤滑油をそれぞれの可動部へ送るためのパイプと、電動ポンプを動作／停止させるためのスイッチと、が備えられている。この構成により、スイッチを押すことで、刈取部が有する各可動部へ注油できるようになっている。
【０００５】
特許文献１のコンバインの注油装置は、刈取部にサイドカバーを設け、サイドカバーの内側に注油装置が配設される構成を開示している。従来のコンバインは、運転部に注油スイッチが設置されているため、注油作業を行うためには運転部に戻る必要があった。そこで、特許文献１においては、刈取部の側部に配置されたサイドカバーの内側に注油装置を配置し、サイドカバーを外すことで注油装置を操作できる構成としている。特許文献１は、この構成により、運転部に戻らずに注油作業を行うことができるとする。
【先行技術文献】
【特許文献】
【０００６】
【特許文献１】特開２００２−２７８２１号公報
【発明の概要】
【発明が解決しようとする課題】
【０００７】
ところで、前述したように、刈取部の可動部へ注油するための潤滑油は、注油タンクに貯留される。この注油タンクは、オペレータが潤滑油を補給し易いように１箇所に設置されており、パイプを分岐させることで様々な箇所（可動部）を潤滑できるようになっている。また、注油タンクを刈取部に備えることで、注油タンクから可動部までのパイプの長さを短く構成できる。
【０００８】
特許文献１の注油装置は、貯油タンク（注油タンク）を刈取部の側面に配置し、平坦な平板状のサイドカバーで覆われる構成となっている。しかしながら、この構成では、注油タンクを当該サイドカバー内の狭い空間に配置しなければならないため、注油タンクの容量を十分に確保することが難しく、頻繁に潤滑油の補給をしなければならなかった。一方で、サイドカバーの内側に空間を確保しようとすると、刈取部の側面が全体的に外側に大きく張り出す形状となり、刈取部が大きくなってしまうと考えられる。
【０００９】
本発明は以上の事情に鑑みてされたものであり、その目的は、可動部に注油するための潤滑油を貯留する貯留タンクを刈取部に備えたコンバインにおいて、貯留タンクの容量の確保と、刈取部のコンパクト化と、を両立させることが可能な構成を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のコンバインが提供される。即ち、このコンバインは、刈取部と、注油タンクと、サイドカバーと、を備える。前記刈取部は、穀稈を刈り取る。前記注油タンクは、前記刈取部の可動部に注油する潤滑油を貯留する。前記サイドカバーは、前記刈取部の側部を覆う。前記刈取部の側面の一部を膨出させるように前記サイドカバーに膨出部が形成されている。前記注油タンクの少なくとも一部が前記膨出部の内部に配置されている。
【００１２】
これにより、前記注油タンクを収めるために必要な空間を、前記膨出部を外側に突出させることで確保できる。また、刈取部の一部のみを左右外側に膨出させる構成であるため、刈取部を全体としてコンパクトに構成することができる。
【００１３】
前記のコンバインにおいては、前記注油タンクは、その一部のみが前記膨出部の内部に配置されていることが好ましい。
【００１４】
これにより、刈取部の小型化と、注油タンクの大容量化と、をバランスよく実現することができる。
【００１５】
前記のコンバインにおいては、以下の構成とすることが好ましい。即ち、前記刈取部は、穀稈の株元を掻き込む掻込ベルトを備える。前記注油タンクの底面の少なくとも一部が傾斜状に形成されている。前記注油タンクの底面の傾斜状部分の下方を、前記掻込ベルトが通過する。
【００１６】
これにより、掻込ベルトと干渉しないように、刈取部の内部（掻込ベルトの上方）に注油タンクの一部を収容できる。従って、十分な容量の注油タンクを、刈取部のコンパクトさを損なわずに設置することができる。
【００１７】
前記のコンバインにおいては、以下の構成とすることが好ましい。即ち、前記サイドカバーは平面部を有する。前記膨出部は前記平面部から膨出するように形成されている。前記注油タンクの補給口は、前記平面部より外側に配置される。
【００１８】
これにより、刈取部が側方に一部膨出している部分に注油タンクの補給口が配置されるので、注油タンクへの潤滑油の補給作業が容易になる。
【００１９】
前記のコンバインにおいては、以下の構成とすることが好ましい。即ち、前記補給口は前記サイドカバーの膨出部の内部に配置されている。前記サイドカバーの膨出部を、取り外すことで、又は開くことで、前記補給口を露出させることが可能である。
【００２０】
これにより、簡単な作業で、補給口を露出させて潤滑油を補給することができる。
【図面の簡単な説明】
【００２１】
【図１】本発明の一実施形態に係るコンバインの側面図。
【図２】コンバインの刈取部を示す正面図。
【図３】下サイドカバーを取り外した状態における注油タンク周辺の斜視図。
【発明を実施するための形態】
【００２２】
以下、本発明の好適な実施形態について図面を参照しながら説明する。図１は本発明の実施形態に係るコンバイン１の側面図である。なお、以下の説明で「左」及び「右」というときは、コンバイン１が刈取時に進む方向に向かって左及び右を意味するものとする。
【００２３】
本実施形態のコンバイン１は、いわゆる自脱型コンバインとして構成されている。図１に示すように、本実施形態のコンバイン１は、稲、麦等の穀稈２を刈り取るための刈取部１０を機体本体の前方に備えている。また、コンバイン１の機体の下部には、機体を走行させるためのクローラ部２０が設けられている。
【００２４】
刈取部１０の後方であって、コンバイン１の左側には、刈取部１０で刈り取った穀稈２を脱穀するための脱穀装置３０と、当該脱穀装置３０で脱穀された穀粒を選別して取り出す選別装置４０と、が設けられている。
【００２５】
コンバイン１の上部右側には、穀粒を貯留するためのグレンタンク５０が設けられている。選別装置４０で選別された穀粒は、図略のコンベア機構によりグレンタンク５０まで搬送され、当該グレンタンク５０に貯留される。また、コンバイン１は、グレンタンク５０内の穀粒を外部に排出するための排出オーガ６０を備えている。
【００２６】
グレンタンク５０の前方には、オペレータが搭乗するための運転部７０が設けられている。運転部７０には、運転操作部７２、及びオペレータが座るための運転座席７３等が設けられている。オペレータは、運転操作部７２を操作することにより、コンバイン１の刈取作業や走行等の各種の操作を行うように構成されている。
【００２７】
図２は、コンバイン１の刈取部１０を示す正面図である。図２に示すように、刈取部１０は５条分の穀稈を刈り取ることができるように構成されており、引起装置２１と、分草板１１と、掻込ベルト２８と、搬送装置２３と、を備える。また、刈取部１０は、図１に示すように刈取刃２２を備えている。
【００２８】
引起装置２１は、刈取部１０の前部に配置されている。図２に示すように、引起装置２１は複数の引起タイン２１ａを備えており、倒伏した作物を拾い上げたり、穂先を一定の幅に収束させたりする引起し作業を行う。
【００２９】
分草板１１は、刈取部１０の前下部において、機体の左右方向に複数並べて設けられている。分草板１１は、穀稈２と穀稈２の間に差し込まれることにより、穀稈２を刈り取るべき幅を規定するためのものである。また、倒れた状態の穀稈２を当該分草板１１がすくい上げることによって、当該穀稈２の刈取りを容易にする。
【００３０】
図２に示すように、掻込ベルト２８は、引起装置２１の後方下部に、左右方向に複数並べて配置される。それぞれの掻込ベルト２８は複数の掻込突起を有しており、引起装置２１によって起立させられた未刈穀稈の株元側を、当該掻込突起によって後方に掻き込むことができる。
【００３１】
刈取刃２２は、分草板１１の後方に設けられている。この構成で、分草板１１の間に差し込まれ、掻込ベルト２８によって掻き込まれた穀稈２は、その根元付近を刈取刃２２によって切断され、刈り取られる。
【００３２】
刈取部１０によって刈り取られた穀稈２は、複数の搬送チェーン等により構成される搬送装置２３によって、脱穀装置３０まで搬送され、脱穀される。以上のように構成された自脱型のコンバイン１を走行させながら刈取りを行うことで、圃場に生えている穀稈２を刈り取り、脱穀して穀粒を取り出すことができる。
【００３３】
刈取部１０は、図略の刈取昇降機構を介して、コンバイン１の機体本体に連結されている。この刈取昇降機構は、油圧シリンダと、この油圧シリンダへの圧油の供給を切り換える電磁弁と、から構成され、刈取部１０を上下に昇降駆動することが可能に構成されている。これにより、圃場の傾斜等に応じて刈取部１０の高さを適切な高さに調整し、刈取りを適切に行うことができる。
【００３４】
以下、本実施形態の刈取部１０の左右側部の構成を詳細に説明する。
【００３５】
図２に示すように、刈取部１０は、左右１対の下サイドカバー２４と、左右１対の上サイドカバー２５と、を備える。下サイドカバー２４には、左右側方外側に突出した略箱状の膨出部がほぼ全体にわたって形成されており、刈取部１０の左側及び右側の下部を覆っている。上サイドカバー２５は、全体が平坦な板状に形成され、刈取部１０の左側及び右側の上部を覆っている。下サイドカバー２４と上サイドカバー２５とは隣接して配置され、上サイドカバー２５は、下サイドカバー２４の上方に配置されている。なお、下サイドカバー２４は取外し可能な構成となっている。
【００３６】
下サイドカバー２４と上サイドカバー２５により、刈取部１０の左右側部の全域が覆われている。また、下サイドカバー２４には膨出部が形成されているので、上サイドカバー２５より、刈取部１０の左右外側へ膨出している。従って、刈取部１０の側面の下側の一部を膨出させるように、下サイドカバー２４に前記膨出部が形成されているということができる。
【００３７】
上サイドカバー２５には、前照灯１３と、方向指示灯１４と、が設置されている。なお、方向指示灯１４は、車幅灯の機能も備えている。
【００３８】
図２に示すように、本実施形態の刈取部１０には、注油タンク２７が備えられている。具体的には、注油タンク２７は、刈取部１０の右下部に配置されている。注油タンク２７の一部は、刈取部１０の上部の幅（左右１対の上サイドカバー２５同士の距離）の内側に位置する一方、残りの一部は、右側の下サイドカバー２４の膨出部の内側に配置される。
【００３９】
この注油タンク２７には、刈取部１０に備えられた各種可動部を潤滑するための潤滑油が貯留されている。なお、潤滑油が供給される可動部としては、例えば、搬送装置２３の複数の搬送チェーン、掻込ベルト２８、刈取刃２２、駆動力伝達のための伝動軸やギア、チェーン等を挙げることができるが、これに限定されない。
【００４０】
また、注油タンク２７には、図略の電動式ポンプ及び図略のパイプが接続されている。注油タンク２７に貯留された潤滑油は、電動ポンプによって汲み上げられた後、パイプを経由して刈取部１０の各可動部へ圧送され、当該可動部を潤滑する。
【００４１】
電動ポンプの動作／停止は、運転操作部７２に備えられた潤滑油供給スイッチ（図略）をオペレータが操作することで行うことができる。ただし、潤滑油供給スイッチは、例えば刈取部１０の側面に配置してもよい。
【００４２】
注油タンク２７の配置について詳細に説明する。刈取部１０の左右両側の側面には上サイドカバー２５及び下サイドカバー２４がそれぞれ配置されており、上サイドカバー２５は略平板状であり、下サイドカバー２４は左右外側への膨出部を有している。また、図２に示すように、注油タンク２７の一部だけが、刈取部１０の右側に配置された下サイドカバー２４の膨出部の内側に配置される構成となっている。このように、下サイドカバー２４の膨出部を外側に突出させることで、注油タンク２７を収めるために必要な空間を確保できるため、大容量の注油タンク２７を配置することができる。一方で、下サイドカバー２４の膨出部の内部には注油タンク２７の一部のみを収容しているので、下サイドカバー２４の膨出部の突出を小さく抑えることができる。また、上サイドカバー２５は略平板状であるため、刈取部１０の横への広がりも抑えられ、刈取部１０を全体としてコンパクトに構成できる。
【００４３】
なお、注油タンク２７は下サイドカバー２４に覆われているため、コンバイン１の右側からの衝撃から注油タンク２７を保護することができる。
【００４４】
図３は、下サイドカバー２４を取り外した状態で、注油タンク２７の周辺を斜め後ろ側から見た斜視図である。
【００４５】
図３に示すように、刈取部１０は、刈取フレーム４１を備えている。この刈取フレーム４１には、分草板１１、刈取刃２２、掻込ベルト２８、及び搬送装置２３をはじめとした各種の装置が取り付けられている。
【００４６】
刈取フレーム４１の左右両側の端部には支持部材としての支持パイプ４２が固定される。支持パイプ４２は上下方向に延びるように配置されており、この支持パイプ４２に、上サイドカバー２５及び注油タンク２７が、適宜の固定具を介して固定される。また、下サイドカバー２４は、刈取フレーム４１及び支持パイプ４２に対し、適宜の固定具を介して取付け／取外し可能に固定される。
【００４７】
図３に示すように、注油タンク２７の底面２７ａは、ほぼ全体が、前側が低く後側が高くなる傾斜状に形成されており、これにより、注油タンク２７は側面視で略直角三角形状に構成されている。そして、この底面２７ａの下方を、最も右側の条の穀稈の株元側を掻き込む掻込ベルト２８の軌跡が通過するように構成されている。この構成により、掻込ベルト２８との干渉を回避しつつ、注油タンク２７を刈取部１０のより内側に配置することができる。従って、注油タンク２７が刈取部１０の外側に突出する体積を抑えることができ、下サイドカバー２４の膨出部が外側へ突出することを抑えることが可能となる。
【００４８】
注油タンク２７には、潤滑油を補給するための補給口３１が備えられている。補給口３１は、図２に示すように、上サイドカバー２５より右側に突出した部分（下サイドカバー２４の膨出部に覆われる部分）に配置されている。従って、下サイドカバー２４を取り外せば、外部から潤滑油の補給を容易に行うことができる構成となっている。
【００４９】
以上に説明したように、本実施形態のコンバイン１は、刈取部１０と、注油タンク２７と、下サイドカバー２４と、を備える。刈取部１０は、穀稈２を刈り取る。注油タンク２７は、刈取部１０の可動部に注油する潤滑油を貯留する。下サイドカバー２４は、刈取部１０の側部を覆う。刈取部１０の側面の一部を膨出させるように、下サイドカバー２４に膨出部が形成されている。注油タンク２７の少なくとも一部が膨出部の内部に配置されている。
【００５０】
これにより、注油タンク２７を収めるために必要な空間を、下サイドカバー２４の膨出部を外側に突出させることで確保できる。また、刈取部１０の一部のみを左右外側に膨出させる構成であるため、刈取部１０を全体としてコンパクトに構成することができる。
【００５１】
また、本実施形態のコンバイン１において、注油タンク２７は、その一部のみが、下サイドカバー２４の膨出部の内部に配置されている。
【００５２】
これにより、刈取部１０の小型化と、注油タンク２７の大容量化と、をバランスよく両立させることができる。
【００５３】
また、本実施形態のコンバイン１において、刈取部１０は、穀稈２の株元を掻き込む掻込ベルト２８を備える。また、注油タンク２７の底面２７ａの少なくとも一部が傾斜状に形成されている。そして、注油タンク２７の底面２７ａの傾斜状部分の下方を、掻込ベルト２８が通過する。
【００５４】
これにより、掻込ベルト２８と干渉しないように、刈取部１０の内部（掻込ベルト２８の上方）に注油タンク２７の一部を収納できる。従って、十分な容量の注油タンク２７を、刈取部１０のコンパクトさを損なわずに設置することができる。
【００５５】
また、本実施形態のコンバイン１において、上サイドカバー２５は平面部を有する。下サイドカバー２４の膨出部は、前記平面部から右側へ膨出するように形成されている。注油タンク２７の補給口３１は、前記平面部より外側に配置される。
【００５６】
これにより、刈取部１０が右側に一部膨出している部分に補給口３１が配置されるので、注油タンク２７への潤滑油の補給作業が容易になる。
【００５７】
また、本実施形態のコンバイン１において、補給口３１は下サイドカバー２４の膨出部の内部に配置されている。下サイドカバー２４（膨出部）を取り外すことで、補給口３１を露出させることが可能である。
【００５８】
これにより、簡単な作業で、補給口３１を露出させて潤滑油を補給することができる。
【００５９】
以上に本発明の好適な実施の形態を説明したが、上記の構成は例えば以下のように変更することができる。
【００６０】
上記の実施形態では、注油タンク２７の一部のみが、下サイドカバー２４の膨出部に配置される構成となっている。しかしながら、注油タンク２７の全部が当該膨出部に収容されても良い。この場合、注油タンク２７が掻込ベルト２８から左右方向に離れるように配置できるので、注油タンク２７の底面２７ａの形状を自由に定めることができる。
【００６１】
上記の実施形態では、下サイドカバー２４を取り外して注油タンク２７に潤滑油を補給する構成になっている。しかしながら、これに限られず、下サイドカバー２４を開閉可能にするヒンジ機構を設け、下サイドカバー２４を開くことで注油タンク２７に給油する構成でもよい。また、前記補給口３１の位置に対応させて下サイドカバー２４に開口部を設け、下サイドカバー２４を取り外したり開いたりせずに注油タンク２７へ潤滑油を補給できるように構成しても良い。
【００６２】
上記の実施形態では、下サイドカバー２４と上サイドカバー２５とが別の部材として設けられている。しかしながら、上記の構成に代えて、平面部と膨出部とを有する１つのサイドカバーを刈取部１０の側面に設ける構成としても良い。
【００６３】
上記の実施形態では、図３に示すように、注油タンク２７の底面２７ａのほぼ全部が傾斜状に形成され、側面視で略直角三角形状となっている。しかしながらこれに代えて、矩形の底部かつ後部に位置する角部を斜めに切り欠いて、その切り欠いた部分の下側を掻込ベルト２８が通過するように構成しても良い。また、注油タンク２７の形状は、例えば平行四辺形状となるように形成されても良い。
【００６４】
上記の実施形態では、刈取部１０の右側に注油タンク２７を設置している。しかしながら、これに限られず、刈取部１０の左側や両側に注油タンク２７を設置する構成でもよい。また、下サイドカバー２４（膨出部）は、刈取部１０の左右両側でなく、片側にだけ設けても良い。
【符号の説明】
【００６５】
１  コンバイン
１０  刈取部
２４  下サイドカバー（膨出部を有するサイドカバー）
２５  上サイドカバー（平面部を有するサイドカバー）
２７  注油タンク
２７ａ  底面
２８  掻込ベルト
３１  補給口
【図１】
2016059299.tif 000003
【図２】
2016059299.tif 000004
【図３】
2016059299.tif 000005